(57)【要約】【課題】ハウジング部品を安全に交換できる無線電話を提供すること等。【解決手段】電子式の無線電話は、第１ハウジングと；無線電話の周囲で第１ハウジングに合致するように第１ハウジングに除去可能に取り付けできる第２ハウジングと；第２ハウジングが第１ハウジングとの取り付けから解除されたときに無線電話の電子部品を第１ハウジングに保持するためのカバーを含む保持手段とを含む。【選択図】図１
2007151149.tif 000002
【特許請求の範囲】
【請求項１】
第１ハウジングと；
無線電話の周囲で第１ハウジングに合致するように第１ハウジングに除去可能に取り付けできる第２ハウジングと；
第２ハウジングが第１ハウジングとの取り付けから解除されたときに無線電話の電子部品を第１ハウジングに保持するためのカバーを含む保持手段とを備えたことを特徴とする電子式無線電話。
【請求項２】
上記第２ハウジングは、無線電話のユーザインターフェイスハウジングである請求項１に記載の電子式無線電話。
【請求項３】
上記保持手段は、無線電話の回路板を含む請求項１又は２に記載の電子式無線電話。
【請求項４】
回路板の外面には少なくとも１つのキーセンサが設けられる請求項３に記載の電子式無線電話。
【請求項５】
上記カバーは、無線電話の部品をそれと上記回路板との間に保持するように構成される請求項３又は４に記載の電子式無線電話。
【請求項６】
上記カバーは、回路板に取り外し可能に係合し得る請求項３ないし５のいずれかに記載の電子式無線電話。
【請求項７】
少なくとも１つのユーザインターフェイス部品がカバーにより保持される請求項１ないし６のいずれかに記載の電子式無線電話。
【請求項８】
上記カバーは、そのカバーにより保持される少なくとも１つのユーザインターフェイス部品の上に横たわる孔を含む請求項７に記載の電子式無線電話。
【請求項９】
シール部材がカバーにより保持される請求項１ないし８のいずれかに記載の電子式無線電話。
【請求項１０】
上記キーセンサのユーザ操作のための少なくとも１つのキーユニットを備え、上記第２ハウジングが第１ハウジングとの取り付けから解除されたときに上記キーユニットは、第１ハウジングに対して自由に移動する請求項１ないし９のいずれかに記載の電子式無線電話。
【請求項１１】
上記キーセンサのユーザ操作のための少なくとも１つのキーユニットを備え、上記第２ハウジングが第１ハウジングに取り付けられたときにこのキーユニットが第２ハウジングとキーセンサとの間にサンドイッチされる請求項１ないし１０のいずれかに記載の電子式無線電話。
【請求項１２】
上記キーユニットはキーマットである請求項１０又は１１に記載の電子式無線電話。
【請求項１３】
上記キーセンサは膜スイッチを含む請求項１１又は１２に記載の電子式無線電話。
【請求項１４】
添付図面を参照して実質的に説明した電子式無線電話。
【発明の詳細な説明】
【技術分野】
【０００１】
本発明は、無線電話に係る。
【背景技術】
【０００２】
無線電話のハウジング部品を容易に交換できることが望まれるようになった。例えば、顧客は、壊れた又は傷ついたハウジングを修理の目的で交換するか又はハウジングを見掛けの異なる別のハウジングと交換することにより無線電話の見掛けを変更することを希望する。又、無線電話を完全に収納しない状態でディーラへ供給し、ディーラが彼ら自身の個別のハウジングを取り付けた後に無線電話を販売できるようにする要望もある。通常、このように交換されるのは、電話のユーザインターフェイスハウジングである。
【０００３】
通常、電話のハウジング部品、特にユーザインターフェイスハウジング部品が取り外されると、電話の内部部品を紛失したり及び／又はそれらが露出してダメージを受ける危険が高くなる。熟練度のない人が電話のハウジング部品を交換したり又は部分的に収納した状態で電話を出荷したりすることは危険である。
【発明の開示】
【発明が解決しようとする課題】
【０００４】
ハウジング部品を安全に交換できる無線電話を提供すること等。
【課題を解決するための手段】
【０００５】
本発明の１つの特徴によれば、第１ハウジングと、無線電話の周囲で第１ハウジングに合致するように第１ハウジングに除去可能に取り付けできる第２ハウジングと、第２ハウジングが第１ハウジングとの取り付けから解除されたときに無線電話の電子部品を第１ハウジングに保持するためのカバーを含む保持手段とを備えた電子式無線電話が提供される。
【０００６】
カバーは、電話の電子部品の幾つか又は全体にわたって延びる。カバーが全ての部品にわたって延びない場合には、保持手段は、回路板又は別のカバーのような更に別の物品を含んでもよい。カバーは、マイクロホン、スピーカ、ディスプレイ又はキーマットのようなユーザインターフェイス部品を保持するのが好ましい。カバーは、保持されたユーザインターフェイス部品とユーザとの間でコミュニケーションをとれるようにする手段、例えば、透明又は半透明部分、変形可能な部分或いはホール又は孔を有するのが好ましい。カバーは、好ましくはユーザインターフェイス部品の周りをシールしそして最も好ましくは関連する孔をシールするために１つ以上のシールをその後方に保持することができる。
【０００７】
カバーは、第１ハウジングに直接的に又は保持手段の他の部品を経て取り付けられるのが好ましい。カバーは、例えば、スプリングクリップにより除去可能に取り付けられるのが最も好ましい。
【０００８】
第１及び第２のハウジングは、無線電話のための前方及び後方の外部ケーシングを形成するのが好ましい。ハウジングは、無線電話の実質的に全周囲にわたって合致するのが好ましいが、例えば、電話の内部にアクセスするために合致しない領域が適宜あってもよい（例えば、コネクタ用の）。
【０００９】
少なくとも１つのユーザインターフェイス部品は、第２ハウジングが第１ハウジングに取り付けられたときに第２ハウジングと保持手段との間に捕獲的に保持される。この部品は、最も好ましくは無線電話が組み立てられるときに無線電話の表面の実質的な領域にわたって見ることのできる部品であるのが好ましい。この部品は、キーマットであるのが好ましい。
【００１０】
カバーは、キーマット、及び／又は少なくとも１つのユーザ操作可能なキーを形成する部材を第１ハウジングに対して保持するのが好ましい。
【００１１】
本発明の第２の特徴によれば、制御素子及び／又は表示素子のための開口をもつハウジング壁を有するハウジングを備えた電子装置であって、ハウジング壁を少なくとも部分的にカバーする外部壁素子をハウジングに除去可能に接続するための取付手段を備え、上記外部壁素子は、ハウジング壁の開口に整列される開口を有することを特徴とする電子装置が提供される。
【００１２】
開口が設けられたハウジング壁が外部壁素子でカバーされるときには、ハウジング壁及び外部壁素子に設けられた開口が好ましくは互いに整列され、従って、例えば、これら開口を経て突出するプッシュボタンキーを、外部壁素子がハウジング壁に取り付けられた後も使用し続けることができ、及び／又はこれら開口に挿入できる表示素子を読み取ることができる。これは、例えば、コードレス電話の場合に開口に挿入されるマイクロホン又はスピーカにも適用されるのが好ましい。
【００１３】
本発明の各々の特徴によれば、装置に設けられた電子回路は、ハウジングの外部の見掛けが変更されるときに顧客によるアクセスに対して適当に保護することができる。従って、電子装置に新たなデザインを与えるために１つの外部壁素子を別の素子に交換すべき場合に、外部壁素子を交換するときにハウジングに存在する電子回路がダメージを受けたり、又はハウジング内に存在する電子回路によりユーザが危険に曝されたりするおそれが低減される。外部壁素子は、電子装置が動作しているときでも交換できる。
【００１４】
本発明の効果的な改善によれば、外部壁素子は、ハウジングの更に別のハウジング壁に対して少なくとも部分的に係合することができ、従って、ハウジングのデザインを大幅に変更することもできるし、又はユーザの希望に大幅に適応させることもできる。
【００１５】
例えば、ハウジングの形状の変更は大きく強調されないがハウジングの色又は材料の形式の変更が強調される場合には、外部壁素子のプロファイルがハウジングのハウジング壁のプロファイルをたどれるのが好ましい。或いは又、外部壁素子は、各外部壁素子がハウジングに接続された後に、その取り付けられた外部壁素子及び当該ハウジング壁の各開口が互いに整列するように確保されるならば、異なる形状を有してもよい（互いに大幅にずれてもよい）。
【００１６】
外部壁素子は、例えば、シェル状のデザインのものであって、ハウジングの側壁を越えて外方に突出するベースに、例えば、１つの縁で取り付けできるのが好ましい。
【００１７】
外壁素子を電子装置のハウジングに取り付けるのにいかなる所望の取付手段を使用することもできるが、プレスオン／キャッチ型の閉止部をもつ取付手段を使用できるのが好ましい。それらは、外部壁素子とハウジングとの間の確実な接続を確保するのが好ましく、そして更に、特殊なツールを必要とせずに容易に使用できるのが適当である。
【発明を実施するための最良の形態】
【００１８】
以下、添付図面を参照して、本発明を一例として詳細に説明する。
【００１９】
本発明を、移動電話の２つの実施形態を参照して以下に説明する。
【００２０】
図１は、プレート形状のベース素子２及びシェル形状のハウジング素子３が組み合わされたハウジング１を有する移動電話を示している。プレート形状のベース素子２及びシェル形状のハウジング素子３は、シェル形状のハウジング素子３の開口４を経て上方に突出するスクリュー（図示せず）であって、プレート形状のベース素子２の内部にしっかりと接続されたソケット（図示せず）にねじ込まれるスクリューを使用して互いに接続される。ハウジング１内には、適当な方法で取り付けられる電子部品等のための支持プレート又は回路板がある。
【００２１】
シェル形状のハウジング素子３は、ハウジング壁５を有し、これは、プレート形状のベース素子２と本質的に平行にそこからある距離に配置され、そして側壁６と一体であり、この側壁は、自由壁即ち下縁でプレート形状のベース素子２に支持される。この構成では、プレート形状のベース素子２は、その縁領域において一定距離だけ側壁６を越えて外方に突出し、同じ輪郭をもつプロファイルが得られる。
【００２２】
ハウジング壁５には、複数の貫通開口７があり、これを通してハウジング１内の部品が部分的に突出する。貫通開口７は、例えば、プッシュボタンキー８、デイスプレイ装置９、又はスピーカ装置／マイクロホン装置１０のために設けられる。後方側壁６’にもアンテナのための対応する貫通開口が存在する。
【００２３】
ハウジング１の長手方向に延びる側壁６の各々には、プッシュフィット／キャッチ型の閉止部として設計された２つの取付手段１１が互いにある距離に配置される。それらは、各々の場合に、電話の前端及び後端付近に配置される。この取付手段１１はキャッチ突起１２を有し、これは、スプリング形態で外方にバイアスされ、そして外部からアクセスできる操作素子１３により外部に作用するスプリング力に抗してハウジング１に向かって押圧することができる。この取付素子は、外部壁素子１４をハウジング１に取り付けるように働き、外部壁素子は、シェル形状のハウジング素子３の上に取り付けられ、そしてこれもシェル形状のデザインである。
【００２４】
図１に示されたシェル形状の外部壁素子１４は、シェル形状のカバー３とほぼ同じ輪郭を有するが、シェル形状のハウジング素子３を受け入れられるように構成される。薄壁シェルとして構成された外部壁素子１４が外部壁素子１４がシェル形状のハウジング素子３に取り付けられる場合には、シェル形状の外部壁素子１４は、その側壁の自由縁即ち下向きの縁で、シェル形状のハウジング素子３を越えて外方に突出するプレート形状のベース素子２の部分に支持される。ここでは、シェル形状の外部壁素子１４の側壁の壁厚は、プレート形状のベース素子２の縁がシェル形状のハウジング素子３の側壁６，６’を越えて外方に突出するところの距離に対応する。その結果、シェル形状の外部壁素子１４とプレート形状のベース素子２との間の接続領域に段々が残ることはない。シェル形状の外部壁素子１４の側壁の高さは、外部壁素子１４の主面がハウジング壁５から短い距離のところで停止状態となり、その結果、ハウジング壁に何ら力を及ぼさないように選択することができる。
【００２５】
外部壁素子１４の主面には、シェル形状のハウジング素子３のハウジング壁５の開口７と整列される開口７’が設けられる。それ故、外部壁素子１４がシェル形状のハウジング素子３に取り付けられたときでも電話を操作し続けることができる。同時に、プッシュボタンキー８は、これらも外部壁素子１４を越えて外方に突出するような高さにされる。ディスプレイ装置９及びスピーカ装置／マイクロホン装置１０のために外部壁素子１４に存在する開口は、例えば、透明な素子１５又はグリル１６によりカバーすることができる。
【００２６】
図２は、シェル形状の外部壁素子１４がシェル形状のハウジング素子３に取り付けられそしてハウジング１に取り外し可能に接続された状態でコードレス電話即ち移動電話を示している。外部壁素子１４の長い側壁の内面には、取付手段１１のキャッチ突起１２のためのノッチがあり、従って、キャッチ突起１２は、外方に押されるスプリング力によりノッチに係合し、ひいては、外部壁素子をハウジング１に保持する。この状態において、操作素子１３も外方に押されるが、プレート形状のベース素子２又は外部壁素子１４の側縁を越えて突出しない程度であるに過ぎない。操作素子１３は、ここでは、プレート形状のベース素子２の上面の溝１７に延びることができる。操作素子１３が、例えば尖った器具を用いて内方に押され、即ち溝１７に沿って内方に押される場合には、それらと共にキャッチ突起１２が対応的に内方に移動され、従って、キャッチ突起１２は、外部壁素子１４の側壁の内側のノッチから解離する。次いで、外部壁素子１４をハウジング１から取り外すことができる。
【００２７】
外部壁素子１４は、単にこれを押し付けるだけでハウジング１に取り付けられる。次いで、キャッチ突起１２がノッチに自動的に係合する。
【００２８】
図５は、別の実施形態の分解図である。図５の移動電話は、２つの外部ハウジング１８、１９を有する。これらのハウジングは、電話器の周囲で互いに嵌合され、電話部品のほぼ全てを包囲する。
【００２９】
下部ハウジング１８は、第１回路板２０を受け入れるための後方くぼみ１８ａと、電話のキーパッドの後方を支持するための前方シェル１８ｂとを有する。回路板２０は、ＲＦシールド２１内にシールドされるＲＦ（高周波）部品を含む電子部品を支持しそして互いに接続する。２部分コネクタ２２は、回路板２０と第２の回路板２３との間のプッシュフィット電気接続を行えるように設けられる。回路板２３は、ブザー２４（電話のリンギングトーンを発生する）及び電気コネクタ２５（例えば、電話をプログラムするか又は外部アンテナを接続するために電話への外部接続を行えるようにする）を含む他の電子部品を支持する。
【００３０】
マイクロホン２６は、コネクタブロックのくぼみ２５ａに嵌合される。マイクロホンは、これを摩擦でくぼみ２５ａにしっかりと保持するために、ゴムスリーブ又はＯリング２７で取り巻かされている。マイクロホンは、その下の回路板２３に対するマイクロホンの向きに関わりなく、回路板のスプリングフィンガーに接続するように同心的な電気接続パッドをその下面に有する。
【００３１】
回路板２３は、タッチ感知キーパッドを形成するようにキーパッド膜２９の導電性部分と協働するための露出した印刷導電性領域２８を有する。膜が接着剤により回路板に固定されたときには、膜の柔軟なドーム状の領域２９ａを回路板に押し付けて、ユーザからの力を感知するためのキースイッチとして作用させることができる。電話が完全に組み立てられたときには、各ドーム状領域がキーマット２４の１つのキー２４ａの下に入り、ユーザがキースイッチを操作できるようにする。
【００３２】
半透明のプラスチックフレーム３２は、回路板２３の後端に取り付けられる。このフレームは、ＬＣＤ（液晶ディスプレイ）ユニット３０及び反射器３１を支持する。又、このフレームは、スピーカ３３を受け入れる大きさのくぼみ３２ａを画成する。スピーカは、後部のスプリングコネクタを有し、これは、電話が組み立てられてスピーカが回路板に向かって押されたときに、回路板２３上の対応する接続パッドに接続する。
【００３３】
電話を組み立てるために、回路板２３は、スクリュー４０により後部ハウジング１８にネジ止めされ、回路板２０をその後方でくぼみ１８ａに位置保持する。マイクロホン２６は、くぼみ２５ａに挿入され、そしてＯリング２７の摩擦によりくぼみの壁に対して位置保持され、同時に、マイクロホンへの接続がスプリングフィンガによりなされる。膜２９は、接着剤により回路板２３に固定される。フレーム３２は、回路板２３の後端まで与えられ、そしてディスプレイユニット３０が回路板２３に半田付けされて、ディスプレイへの接続を行う。次いで、対応するくぼみ３２ａにスピーカ３３がセットされ、そのスプリングが回路板２３のスピーカ接触パッドに対して接触する。
【００３４】
次いで、ガスケット３４がフレーム／ディスプレイ組立体の上に配置されて、スピーカ３３及びディスプレイ装置３０の縁の周りをシールする。このガスケットは、柔軟なゴムで形成され、そのシール壁は、スピーカ及びディスプレイ装置のための孔３４ａ、３４ｂを取り巻く。又、ガスケットは、突出するキー部分３４ｃも含み、その上端は、電話が完全に組み立てられたときに、上部ハウジング１９の孔１９ａを経て突出する。キー部分は柔軟であり、そしてその下端にカーボンインクの導電性被覆を有し、これは、キー部分の上端がユーザにより押されたときに回路板２３の対応するトラックと接触することができる。
【００３５】
次いで、保持フレーム３５がガスケット上の位置に押し付けられて、ガスケット、スピーカ３３、ＬＣＤユニット３０及びフレーム３２を回路板２３に保持する。フレーム３５は、一般的に平らな上面３６及び側壁３７を有する。このフレームは、約８０μｍ厚みのアルミニウムシートから型抜きされる。このフレームの上面３６は、ディスプレイのための孔３５ａ、キー部分３４ａのための孔３５ｂ、プラスチックフレーム３２上の位置設定ピン３２ｂのための孔３５ｃ、及びスピーカ３３のための孔のグリル３５ｄを有する。フレーム３５がしかるべき位置に押されると、スピーカ及びＬＣＤユニットを回路板２３とガスケット３４との間に締め付ける。カバーの側壁は、側壁３７から曲げられたクリップ３８が回路板２３の下面に係合するときに、若干押さえ付けられ、そしてバネで戻る。従って、フレーム３５は、しかるべき位置にクリップされ、そして壁を再び外方に曲げることにより、必要に応じてカバーを除去することができる。次いで、クリップ３８は、フレームを回路板２３に保持し、そしてフレームにより、ガスケット、ディスプレイユニット及びスピーカが回路板２３に対して保持される。安全性のために、上部突起、プラスチックフレーム３２及び回路板２３の孔を通して下部ハウジング１８へスクリュー３９が挿入される。
【００３６】
アンテナ４０は、下部ハウジング１８の位置にねじ込まれる。組立プロセスのこの段階において、後方ハウジング１８に取り付けられた組立体から電話の２つの部品だけが解放され、即ちキーマット２４と、ディスプレイウインドウ４１が接着剤で位置固定された前方ハウジング１９である。組立プロセスを完了するために、キーマットが膜２９上に安住され、前方ハウジングが後方ハウジングに嵌合され、そしてそれら２つがスクリュー４３で互いにネジ止めされる。
【００３７】
本発明は、請求項に記載した発明に関するものであるか、上記問題のいずれか又は全部を軽減するものであるかに関わりなく、ここに開示する新規な特徴又は特徴の組合せ或いはその一般性を包含するものとする。以上の説明から、本発明の範囲内で種々の変更がなされ得ることが当業者に明らかである。例えば、本発明は、計算器やパーソナルオーガナイザーや無線電話のような広範囲な電子装置に適用できることが明らかであろう。
【図面の簡単な説明】
【００３８】
【図１】外部壁素子を除去した状態で第１の実施形態の無線電話を示す図である。
【図２】外部壁素子を取り付けた状態で図１の無線電話を示す図である。
【図３】図１の無線電話のハウジング１４の内部を示す図である。
【図４】図３のハウジングの一部分の断面図である。
【図５】本発明の第２の実施形態の分解図である。
【図１】
2007151149.tif 000003
【図２】
2007151149.tif 000004
【図３】
2007151149.tif 000005
【図４】
2007151149.tif 000006
【図５】
2007151149.tif 000007
【手続補正書】
【提出日】平成18年12月28日(2006.12.28)
【手続補正１】
【補正対象書類名】特許請求の範囲
【補正対象項目名】全文
【補正方法】変更
【補正の内容】
【特許請求の範囲】
【請求項１】
第１ハウジングと；
無線電話の周囲で第１ハウジングに合致するように第１ハウジングに除去可能に取り付けできる第２ハウジングと；
第２ハウジングが第１ハウジングとの取り付けから解除されたときに無線電話の電子部品を第１ハウジングに保持するためのカバーを含む保持手段とを備えたことを特徴とする電子式無線電話。